(57)【要約】      （修正有）【課題】従来のドアチェーン、ドアバーで防犯対策を取りながら、より簡単操作で安価な住環境改善用具を提供する。【解決手段】ドア１とドア枠２間にドアチェーン４又はドアバー５が設けられ、ドア開放隙間が最大Ｗに制限されていると共にドアクローザー３で閉じる方向に力を受けているドア１に対して、ドア１に保持部材６ａを固着し、保持部材６ａにＷより短い長さＬで作られ、自重で垂下し、回動可能なストッパー部材６ｂを取り付ける。ドア１を開け、垂下しているストッパー部材６ｂをドア１とドア枠２間に手で配置すると、ドアクローザー３の力で自然とドアとドア枠間に挟まれ、隙間が保持され、解除はドアを開く方向へ動かせば自重でストッパー部材は垂下方向へ移動する。【選択図】図１
2016211347.tif 000002
【特許請求の範囲】
【請求項１】
ドアクローザーの力でドア枠方向へ閉じようとするドアと、
上記ドアとドア枠との間を、ドアチェーン又はドアバーで結合し、侵入禁止状態が造られる状態で使われるドア用隙間保持具であって、
上記ドア用隙間保持具が、コの字状の３面を有する保持部材と、上記侵入禁止状態でのドアとドア枠との隙間寸法より短い寸法の、ストッパー部材から成る事を特徴とし、
上記保持部材の１面はドアと結合するドア結合面を有し、
ドア結合面と平行な面にはコの字の開口方向は閉じられた長穴が設けられたストッパー案内面を有し、
上記２面を繋ぐ連結面にはストッパー案内面の長穴に連結した長穴がドア結合面に達しない長さで設けられている事を特徴とし、
上記ストッパー部材が円柱状又はパイプ状の支持部材と、同支持部材の一端に固着された脱落防止部と、支持部材の他端に取り付けられたドア枠当り部から成り、
支持部材の外径が前記長穴の幅寸法より小さい事、
脱落防止部の直径方向寸法が前記長穴寸法より大きく、且つ、
脱落防止部の直径寸法と長さ寸法を２辺とする直角三角形の斜辺の長さが
保持部材のコの字の内側寸法より小さい事、
ドア枠当り部がゴム、プラスチック等のドア枠を傷つけない材質で作られる事、
と共に、脱落防止部、支持部材、ドア枠当り部の加算寸法が上記侵入禁止状態でのドアとドア枠との隙間寸法より短い寸法にされている事を特徴とするドア用隙間保持具。
【請求項２】
請求項１であって、
保持部材の１面であるドア結合面に両面接着テープが付けられて装着を簡単にしてると共に、
支持部材の直径寸法と長穴の幅寸法の差を０．５ミリメートル以上１ミリメートル以下とする
と共に、
脱落防止部の直径寸法と長さ寸法を２辺とする直角三角形の斜辺の長さが
保持部材のコの字の内側寸法より１ミリメートル以上３ミリメートル以下とする
事で、ストッパー部材が保持部材の長穴内で動きやすくしている事を特徴とする
ドア用隙間保持具。
【発明の詳細な説明】
【技術分野】
【０００１】  本発明は、マンション等の部屋の空気の流れを良くするドア用隙間保持具に関する。
【背景技術】
【０００２】  従来、マンション等で暑い夏の日、湿気の多い梅雨時には、風通しを良くするために、ドアと床面の間に楔形のストッパーを挿入してドアを半開き状態に保持している。【０００３】  しかし、従来の方法では、外からドアを開けることが出来るので、集合住宅では、特に女性住人には危険で実行し難い。
後述する先行技術文献で取り上げる特開平０８−２７０２９４ではドアの開く広さは少なくなるが、防犯具であるドアチェーン、ドアバーとの関係を利用して防犯との並立を検討している。
が、しかし、近年、インターネット上でドアチェーン、ドアバーが特別な特殊道具を用いなくても解除出来る方法が公開され、ドア用隙間保持具を用い、ドアチェーン、ドアバーを信じて外気を流入させながらの就寝は危険と言わざるを得ない状況に成っている。
就寝中の利用は無理でも、在室中の起きている時間中に、突然の侵入者を防ぎながら、外気流を入れれる事は大いに効用が有り、より良いドア用隙間保持具の提供は重要である。
【先行技術文献】
【特許文献】
【０００４】
【特許文献１】特開平０８−２７０２９４
【発明の概要】
【発明が解決しようとする課題】
【０００５】本発明が解決しようとする課題は、以下の通りである。
（１）  特開平０８−２７０２９４５に開示される手段より一層の操作性の向上をはかり        、日々の生活でドア用隙間保持具の利用度を向上させる事。
（２）  特開平０８−２７０２９４５に開示される手段より一層構成、構造を簡単にする        と共に寸法精度が低くても正常動作が保てる手段を確立し、安価で耐久性の高い        ドア用隙間保持具を提供する事。【０００６】
【課題を解決する為の手段】
【０００７】  請求項１のドア用隙間保持具は、ドアクローザーの力でドア枠方向へ閉じようとするドアと、上記ドアとドア枠との間を、ドアチェーン又はドアバーで結合し、侵入禁止状態が造られる状態で使用する。請求項１の上記ドア用隙間保持具はコの字状の３面を有する保持部材と、上記侵入禁止状態でのドアとドア枠との隙間寸法より短い寸法のストッパー部材から成る事を特徴とする。上記保持部材の１面はドアと結合するドア結合面を有し、ドア結合面と平行な面にはコの字の開口方向は閉じられた長穴が設けられたストッパー案内面を有し、上記２面を繋ぐ連結面にはストッパー案内面の長穴に連結した長穴がドア結合面に達しない長さで設けられていることを特徴とする。上記ストッパー部材が円柱状又はパイプ状の支持部材と、同支持部材の一端に固着された脱落防止部と、支持部材の他端に取り付けられたドア枠当り部から成り、支持部材の外径が前記長穴の幅寸法より小さい事、脱落防止部の直径方向寸法が前記長穴寸法より大きく、且つ、脱落防止部の直径寸法と長さ寸法を２辺とする直角三角形の斜辺の長さが保持部材のコの字の内側寸法より小さい事、ドア枠当り部がゴム、プラスチック等のドア枠を傷つけない材質で作られる事と共に、脱落防止部、支持部材、ドア枠当り部の加算寸法が上記侵入禁止状態でのドアとドア枠との隙間寸法より短い寸法にされている事を特徴とするドア用隙間保持具であるから、課題（１）の特開平０８−２７０２９４５に開示される手段より一層の操作性の向上をはかり、日々の生活でドア用隙間保持具の利用度を向上させる事を達成している。
先行技術では、ドアを開に保持する支持桿を使用する時も、使用を終了し解除する時にも手での操作が必要である。
本発明のドア用隙間保持具にあっては、ドアを開に保持するストッパー部材は自重で保持部材内で垂下するので、使用を終了し解除する時はドアを開ける方向へ動かす事で自動的に解除し、動作が簡略化されている。
【０００８】  請求項２のドア用隙間保持具は、
ドアクローザーの力でドア枠方向へ閉じようとするドアと、
上記ドアとドア枠との間を、ドアチェーン又はドアバーで結合し、侵入禁止状態が造られる状態で、使われるドア用隙間保持具であって、上記ドア用隙間保持具がコの字状の３面を有する保持部材と、上記侵入禁止状態でのドアとドア枠との隙間寸法より短い寸法のストッパー部材から成る事を特徴とし、上記保持部材の１面はドアと結合するドア結合面を有し、ドア結合面と平行な面にはコの字の開口方向は閉じられた長穴が設けられたストッパー案内面を有し、上記２面を繋ぐ連結面にはストッパー案内面の長穴に連結した長穴がドア結合面に達しない長さで設けられていることを特徴とする。上記ストッパー部材が円柱状又はパイプ状の支持部材と、同支持部材の一端に固着された脱落防止部と、支持部材の他端に取り付けられたドア枠当り部から成り、支持部材の外径が前記長穴の幅寸法より小さい事、脱落防止部の直径方向寸法が前記長穴寸法より大きく、且つ、脱落防止部の直径寸法と長さ寸法を２辺とする直角三角形の斜辺の長さが保持部材のコの字の内側寸法より小さい事、ドア枠当り部がゴム、プラスチック等のドア枠を傷つけない材質で作られる事と共に、脱落防止部、支持部材、ドア枠当り部の加算寸法が上記侵入禁止状態でのドアとドア枠との隙間寸法より短い寸法にされている事を特徴とするドア用隙間保持具であると共に、
保持部材の１面であるドア結合面に両面接着テープが付けられて装着を簡単にすると共に、
支持部材の直径寸法と長穴の幅寸法の差を０．５ミリメートル以上１ミリメートル以下とする
と共に、
脱落防止部の直径寸法と長さ寸法を２辺とする直角三角形の斜辺の長さが
保持部材のコの字の内側寸法より１ミリメートル以上３ミリメートル以下とする
事で、ストッパー部材が保持部材の長穴内で動きやすくしている事を特徴とする。
ドア結合面に両面接着テープが付けられていることから、ドアが鉄系に限らず木材、アルミ等いかなる材質にも対応できるメリットが有る。また、回動自在を実現するのに枢支球体の様な難度の高い加工部分を含まない為、安価に作成出来る。又、各部品の寸法精度は０．０１ミリ単位が通常の現在において、本請求項１，２は、０．１ミリ単位の精度で十分であり、安価と共に、耐久性にも優れる事を意味し課題（２）を達成出来ている。
【０００９】
【図面の簡単な説明】
【００１０】
【図１】  本発明のドア用隙間保持具の利用状態を示す説明図。
【図２】  本発明のドア用隙間保持具の構成を示す説明図。
【図３】  本発明のドア用隙間保持具の動作を示す説明図。
【発明を実施する為の形態】
【００１１】  図１は本発明のドア用隙間保持具の利用状態を示す説明図であり、ドア１はドア枠２に対して開閉可能で、且つ、ドアクローザー３により矢印Ａで示す様にドア１を閉める方向へ力を受けている。ドア１とドア枠２にはドアチェーン４又はドアバー５が取り付けられ、ドア１の開ける隙間は図中のＷに制限され、突然の侵入者を防ぐ状態に成っている。同時にドアクローザー３の力でドア１は自動的に閉して風の流入をも妨害する。
【００１２】  夏の暑い時、湿気の多い梅雨時、料理で室内に異臭を発生させた時、等には空気の流れを良くする為に、ドア１の下部と床の間にクサビ状のストッパーを挿入し、風の流通を可能とさせている。が、その作業はめんどうであり、本発明のドア用隙間保持具６がドア１に付けられた状態が示されている。ドア用隙間保持具６を構成する保持部材６ａはドア１に接着、ネジ締め等で固定され、同じくドア用隙間保持具６を構成するストッパー部材６ｂは保持部材６ａに保持され、自重で垂下した状態と成っている。すなわち、必要なクサビ状の物を探す必要が無く、最も使い易い場所にぶら下がった状態で用意されているのである。
【００１３】  次ぎに、ドア用隙間保持具６を用いる場合は、ドア１を開けながら回動するストッパー部材６ｂの端部をドア枠２に当接させ、ドア１から手を離せば、ドア１がドアクローザー３の力で戻り、隙間が保持される。ストッパー部材６ｂの長さＬは支持部材６ｂ１と、脱落防止部６ｂ２とドア枠当り部６ｂ３の長さの加算であり、上述したドア１とドア枠２の最大隙間Ｗより短く作られている。
【００１４】  次ぎに、ドア用隙間保持具６を解除する場合は、ドア１を開ける方向へ動かせば、ストッパー部材６ｂは自重で保持部材６ａ内で回動し、ドア枠２から外れる。
ドア１にはドアハンドル７，ドアロック８も設けられているが、ドアクローザー３，ドアチェーン４，ドアバー５も含め多くの家庭にも有る程によく知られた物であり、詳しい説明は省略する。
【００１５】  次ぎに、図２でドア用隙間保持具６の構成を説明する。保持部材６ａとストッパー部材６ｂの２つから構成され、保持部材６ａはコの字状の３面を有し、１面はドア１に結合する為のドア結合面６ａ１であり、ドア結合面６ａ１と並行する面はストッパー案内面６ａ２であり、ドア結合面６ａ１とストッパー案内面６ａ２を結び、互いに直交する面は連結面６ａ３である。ストッパー案内面６ａ２にはその中心位置に長穴６ａ２イがコの字の開口方向には閉じられ、連結面６ａ３に達する長さで設けられている。連結面６ａ３には上記長穴６ａ２イに連結し、ドア結合面６ａ１には達しない長さで長穴６ａ３イが長穴６ａ２イと同一の幅で直交する様に設けられている。
【００１６】  ストッパー部材６ｂは円柱状又はパイプ状の支持部材６ｂ１と、支持部材６ｂ１の一端に固着された脱落防止部６ｂ２と支持部材６ｂ１の他端に取り付けられたドア枠当り部６ｂ３から成る。
図ではドア枠当り部６ｂ３がネジで支持部材６ｂ１に取付られる様に示されているが、接着、圧入等でネジを無用に出来る。尚、支持部材６ｂ１は長い為、部分切断で示した。
【００１７】  後述する別図で詳しく説明するが、支持部材６ｂ１の直径は上記長穴６ａ２イ、６ａ３イの幅より小さく、脱落防止部６ｂ２とドア枠当り部６ｂ３の直径は、上記長穴６ａ２イ、６ａ３イの幅より大きい。結果、長穴に支持部材６ｂ１が通され、脱落防止部６ｂ２、ドア枠当り部６ｂ３が固着されると、
２つの部材、保持部材６ａとストッパー部材６ｂは連結され、分離する事はなく、長穴に沿ってストッパー部材６ｂがスライドしたり、回動したりする。
【００１８】  次ぎに、図３の本発明のドア用隙間保持具の動作を示す説明図で、動作を説明する。図（ａ）はドア１をドア枠２に対して隙間保持状態に保っている時の正面図であり、保持部材６ａが
ドア結合面６ａ１に取り付けられた両面接着テープ６ａ４によりドア１に固定されている。両面接着テープは強力でも剥がせるタイプが好ましく、超強力で剥がす事が想定されていない物は避けるのが良い。（株）ニトムズのＴ−３９５１等が好適である。
【００１９】  ストッパー部材６ｂはドアクローザー３からの力を受け、脱落防止部６ｂ２の外側面が保持部材６ａのドア結合面６ａ１の内側面に当たり安定状態となる。
ここで、図（ａ）を記載した目的を説明する。ドア１とドア枠２はドアを開ける状態で対向する角度に変化が生じる。即ち、図中θで示した方向にストッパー部材６ｂは自由に方向を変化する必要がある。これには、図３の図（ｃ）で示す保持部材６ａのストッパー案内面６ａ２の長穴６ａ２イの幅寸法ｎｗと支持部材６ｂ１の直形寸法ｄで決める事が可能であり、ｄをｎｗより０．５ミリメートルから１ミリメートル程小さくする。製作の簡単、安価の為には１ミリ程が良い。
【００２０】  次ぎに、図３の図（ｂ）でストッパー部材６ｂが使用状態から、ドア１を開く方向へ少し移動すると、自らの自重で垂下し、離脱する事を説明する。図中Ｂの方向へ保持部材６ａが移動すると、ストッパー部材６ｂは図中の左部分で保持部材６ａで支えられるに対して、右部分が長く造られており、回転モーメントで印しβの方向へ回転し、振動後、点線で示す状態に垂下する。
ストッパー部材６ｂに手を触れずとも、ドア１を開くのみで自重により、自動的に回動垂下する事は、利用者に取って以外に大きな効用である。と、言うのはドアの出入り時は物を持ちながらの場合が多いからである。
【００２１】  図（ｂ）に示されるＬの寸法には保持部材６ａのドア結合面６ａ１の厚みと両面接着テープ６ａ４の厚みの分が含まれる。結果、図１で説明した、ストッパー部材６ｂの長さＬと差違があるが、全体に占める上記両厚み分は、比率として極めて小さいため、本明細書では、Ｌとはストッパー部材６ｂの長さとして扱う。
【００２１】  記述が遅れたが、図（ｃ）は図（ｂ）の印Ｃ−Ｃでの断面である。連結面６ａ３には長穴６ａ３イが前述の長穴６ａ２イと同一の幅ｎｗで設けられ支持部材６ｂ１が回動する妨げはしない。
が、脱落防止部６ｂ２の直径方向寸法Ｄと長さ方向寸法ｘは注意しないと回動が阻害される。
Ｄは長穴６ａ２イ、長穴６ａ３イの幅ｎｗ以上は当然だが、大きすぎてはならず、長さ寸法ｘと合わせてＤとｘの２辺から成る直角三角形の斜辺の長さｙが保持部材６ａのコの字状の開口部内寸法ｗより小さい必要がある。図示の例では２．２ミリメートルの差を設けているが、１ミリ以上３ミリ程迄が作り易く、耐久性にも良い。
【００２２】  以上、ドア用隙間保持具６の構成、動作を説明したが、余りにも簡単であり、新規性、発明性に疑問を感ずる人が多いと思われる。が、回動動作を加工難度の高い球状受手に囚われず、用途に合わせ、直交する長穴内での支持部材６ｂ１の回動と隙間寸法内での移動で実現した事で、構成を極限まで簡単に、且つ、各構成部品の寸法精度も低くしても正常動作し、結果、安価で、高寿命なドア用隙間保持具６を達成した意味は大きいと言いたい。
室内への空気の流れを良くする事は、昨今だけでなく将来への大問題の電気使用量の低減効果も大きく、使い易く、安価なドア用隙間保持具６の効用は大きい。
【００２３】  本発明のドア用隙間保持具６の構成が、先願の特開平０８−２７０２９４に対し、より簡単に成った理由を追加で説明する。理由は支持部材６ｂ１の「回動」の言葉に隠れている。先願でも一般的にも「回転」を考える。回転には中心点、又は、中心線が連想され、球体、丸棒が必要となる。
一方、本発明では「転倒」による転がりが用いられている。「転倒」は点、線に囚われず、どこでも起こせるが、本発明では長穴に沿っての「転倒」による回転であり、長穴方向の任意の点で起こせる。この様子を「回動」と表現している。又、１平面内での「回動」だけでなく、図３の図（ａ）で示したθの角度内でも「回動」可能にする為に、何の部品も使用しないで、部品間のスキマ寸法で達成している。  この事が、簡単、安価、高耐久性に繋がっている。
【００２４】  尚、本発明では保持部材６ａは３面から成ると説明したが、４面とか６面にして意匠性の変化、向上も可能であるが、基本的に３面構成と同一と考えられる。
【符号の説明】
【００２５】１                        ドア
２                        ドア枠
３                        ドアクローザー
４                        ドチェーン
５                        ドアバー
６                        ドア用隙間保持具
６ａ                      保持部材
６ａ１                    ドア結合面
６ａ２                    ストッパー案内面
６ａ２イ                  長穴
６ａ３                    連結面
６ａ３イ                  長穴
６ａ４                    両面接着テープ
６ｂ                      ストッパー部材
６ｂ１                    支持部材
６ｂ２                    脱落防止部
６ｂ３                    ドア枠当り部
７                        ドアハンドル
８                        ドアロック
【図１】
2016211347.tif 000003
【図２】
2016211347.tif 000004
【図３】
2016211347.tif 000005